Podtech/llm-jp-corpus-v4-ja_patent huggingface dataset:
【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】
（＋）−（２Ｓ，３Ｓ）−２−（３−クロロフェニル）−３，５，５−トリメチル−２−モルホリノールの薬学上許容される塩または溶媒和物。
【請求項２】
（＋）−（２Ｓ，３Ｓ）−２−（３−クロロフェニル）−３，５，５−トリメチル−２−モルホリノール塩酸塩。
【請求項３】
分離した形である（＋）−（２Ｓ，３Ｓ）−２−（３−クロロフェニル）−３，５，５−トリメチル−２−モルホリノール塩酸塩。
【請求項４】
光学的に純粋な形である（＋）−（２Ｓ，３Ｓ）−２−（３−クロロフェニル）−３，５，５−トリメチル−２−モルホリノール塩酸塩。
【請求項５】
９５％エタノール中、ｃ＝０．６４における比旋光度［α］Ｄ２０が＋３１．９°である、請求項２〜４のいずれか一項に記載の化合物。
【請求項６】
（＋）−（２Ｓ，３Ｓ）−２−（３−クロロフェニル）−３，５，５−トリメチル−２−モルホリノールまたはその薬学上許容される塩もしくは溶媒和物を、場合によっては、１種以上の薬学上許容される担体、希釈剤または賦形剤とともに含んでなる医薬組成物。
【請求項７】
治療に用いられる、化合物（＋）−（２Ｓ，３Ｓ）−２−（３−クロロフェニル）−３，５，５−トリメチル−２−モルホリノールまたはその薬学上許容される塩もしくは溶媒和物。
【請求項８】
鬱病、注意欠陥過活動性障害（ＡＤＨＤ）、肥満、片頭痛、痛み、性的機能障害、パーキンソン病、アルツハイマー病、コカインまたはニコチン含有製品（特に、タバコ）の嗜癖の治療に用いられる、請求項６記載の医薬組成物。
【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  薬理学的に有効な量のＩＬ−１１を含む、細胞障害性Ｔ細胞の産生を誘導するための医薬組成物。
【請求項２】  エクスビボにおいて細胞障害性Ｔ細胞に投与される、請求項１の医薬組成物。
【請求項３】  細胞障害性Ｔ細胞をトランスフェクションするためのＩＬ−１１蛋白をコードするＤＮＡ分子を含む医薬組成物であって、トランスフェクションされた細胞障害性Ｔ細胞がＩＬ−１１蛋白産生条件下で培養されるものである、医薬組成物。
【請求項４】  急性ウイルス性疾患にかかっている患者に投与される、請求項１の医薬組成物。
【請求項５】  寄生体感染にかかっている患者に投与される、請求項１の医薬組成物。
【請求項６】  薬理学的に有効な量のＩＬ−１１を含む医薬組成物であって、細胞障害性Ｔ細胞活性の増強を誘導するために適当な細胞集団に投与される医薬組成物。
【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】  A型ボツリヌス菌（Clostridium botulinum）から単離された生物学的活性Hn-33とニューロトキシンとを含む組成物。
【請求項２】  ニューロトキシンが、A型ボツリヌスニューロトキシン、E型ボツリヌスニューロトキシン、および破傷風毒素からなる群より選択される、請求項１記載の組成物。
【請求項３】  ニューロトキシンがA型ボツリヌスニューロトキシンである、請求項１記載の組成物。
【請求項４】  組成物が、本質的にHn-33、少なくとも１つのニューロトキシン、および動物への投与に適した薬学的担体で構成される、請求項１記載の組成物。
【請求項５】  薬学的担体がアジュバントである、請求項４記載の組成物。
【請求項６】  薬学的担体がポリソルベート、エタノール、デンプン、およびグリセリンからなる群より選択される、請求項４記載の組成物。
【請求項７】  A型ボツリヌス菌（Clostridium botulinum）の生物学的に活性な単離Hn-33。
【請求項８】  動物においてニューロトキシンに対する免疫応答を誘発する方法であって、ニューロトキシンに対する免疫応答を誘発するために有効な量の組成物を動物に投与することを含み、組成物がA型ボツリヌス菌（Clostridium botulinum）の単離された生物学的活性Hn-33とニューロトキシンとを含む方法。
【請求項９】  組成物がアジュバントをさらに含む、請求項８記載の方法。
【請求項10】  ニューロトキシンがA型ボツリヌスニューロトキシン、E型ボツリヌスニューロトキシン、および破傷風毒素からなる群より選択される、請求項８記載の方法。
【請求項11】  ニューロトキシンがA型ボツリヌスニューロトキシンである、請求項８記載の方法。
【請求項12】  組成物が動物に経口投与される、請求項８記載の方法。
【請求項13】  組成物がニューロトキシンを徐々に放出させる生体分解性ポリマーをさらに含む、請求項８記載の方法。
【請求項14】  動物がヒトである、請求項８記載の方法。
【請求項15】  動物における神経筋疾患を治療または予防する方法であって、神経筋疾患を治療または予防するために有効な量の組成物を動物に投与することを含み、組成物がA型ボツリヌス菌（Clostridium botulinum）の単離された生物学的活性Hn-33とニューロトキシンとを含む方法。
【請求項16】  ニューロトキシンがA型ボツリヌスニューロトキシン、E型ボツリヌスニューロトキシン、および破傷風毒素からなる群より選択される、請求項15記載の方法。
【請求項17】  ニューロトキシンがA型ボツリヌスニューロトキシンである、請求項15記載の方法。
【請求項18】  組成物が治療を必要とする筋肉または筋肉の周辺組織に注射される、請求項15記載の方法。
【請求項19】  組成物がニューロトキシンを徐々に放出させるポリマーをさらに含む、請求項15記載の方法。
【請求項20】  神経筋疾患が、平滑筋痙攣および骨格筋痙攣からなる群より選択される、請求項15記載の方法。
【請求項21】  神経筋疾患が頭痛である、請求項15記載の方法。
【請求項22】  神経筋疾患が脳性麻痺である、請求項15記載の方法。
【請求項23】  動物がヒトである、請求項15記載の方法。
【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】  p75ヘテロダイマーを形成するp35サブユニットおよびp40サブユニットを含むモノクローナル抗体であって、以下の特徴を有するヒトIL-12に対するモノクローナル抗体：
（a）ヒトIL-12のp75ヘテロダイマーによって示されるエピトープと免疫学的
に反応するが、p40サブユニットによって示されるいかなるエピトープとも免疫学的に反応しない；および
（b）ヒトIL-12の生物活性の少なくとも90％を中和する。
【請求項２】  請求項１記載の抗体であって、抗体の濃度が0.5 μg/mlでありヒトIL-12の濃度が0.25 ng/mlである、IL-12刺激PHA活性化ヒトリンパ芽球増殖を阻害することによって、ヒトIL-12生物活性の少なくとも90％を中和する抗体。
【請求項３】  請求項１記載の抗体であって、抗体の濃度が0.5 μg/mlでありヒトIL-12の濃度が0.25 ng/mlである、IL-12刺激IFN-γ産生を阻害することによって、抗体がヒトIL-12生物活性の少なくとも90％を中和する抗体。
【請求項４】  アカゲザルIL-12と交叉反応する、請求項１から３のいずれか一項に記載の抗体。
【請求項５】  マウスの細胞から製造される、請求項１から４のいずれか一項に記載の抗体。
【請求項６】  抗体がモノクローナル抗体である、請求項１から５のいずれか一項に記載の抗体。
【請求項７】  抗体がハイブリドーマ、特にATCC指定番号HB-12446、HB-12447、HB-12448、またはHB-12449を有するハイブリドーマによって製造される、請求項１から６のいずれか一項に記載の抗体。
【請求項８】  抗体がヒト化されている、請求項１から７のいずれか一項に記載の抗体。
【請求項９】  請求項１から８のいずれか一項に記載の抗体を製造するハイブリドーマ。
【請求項１０】  請求項１から８のいずれか一項に記載の抗体を少なくとも１つ含む薬学的組成物。
【請求項１１】  p35サブユニットおよびp40サブユニットを含む、ヒトIL-12 p75ヘテロダイマーと選択的に免疫学的に反応する抗体を製造する方法であって、以下の段階を含む方法：
（a）抗体を製造するために、ヒトIL-12 p75ヘテロダイマーによって、p35サブユニットまたはp40サブユニットをコードする遺伝子を欠損する哺乳動物を免疫する段階；
（b）免疫した哺乳動物から抗体を得る段階；
（c）選択的に結合する抗体を得るために、抗体がp75ヘテロダイマーによって示されるエピトープに選択的に結合することができるか否かをスクリーニングする段階。
【請求項１２】  p35サブユニットおよびp40サブユニットを含む、ヒトIL-12 p75ヘテロダイマーと選択的に免疫学的に反応するモノクローナル抗体を製造する方法であって、以下の段階を含む方法：
（a）抗体を製造するために、ヒトIL-12 p75ヘテロダイマーによって、p35サブユニットまたはp40サブユニットをコードする遺伝子を欠損する哺乳動物を免疫する段階；
（b）免疫した動物から抗体産生細胞を回収する段階；
（c）該細胞からモノクローナル抗体産生ハイブリドーマを製造し、モノクローナル抗体を得る段階；
（d）選択的に結合するモノクローナル抗体を得るために、該ハイブリドーマによって製造される該モノクローナル抗体が、p75ヘテロダイマーによって示されるエピトープに選択的に結合するか否かをスクリーニングする段階。
【請求項１３】  ハイブリドーマから製造された抗体が、アカゲザルIL-12との交叉反応能に関してさらにスクリーニングおよび選択される、請求項12記載の方法。
【請求項１４】  請求項11から13のいずれか一項に記載のプロセス、または請求項11から13のいずれか一項に記載のプロセスを含むプロセスによって製造される、請求項１から８のいずれか一項に記載の抗体。
【請求項１５】  治療的活性物質として請求項１から８のいずれか一項に記載の抗体。
【請求項１６】  免疫メカニズムを通じて媒介される病態を有する疾患、特に、IL-12生物活性の増加に関連し、その結果、例えば、多発性硬化症、リウマチ性関節炎、自己免疫性真性糖尿病、ならびにクローン病および潰瘍性大腸炎を含む炎症性腸疾患（IBD）などの、自己免疫疾患のようなTh1-型のヘルパー細胞活性の異常が起こる疾患を制御する薬剤の調製における、請求項１から９のいずれか一項に記載の抗体の使用。
【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  ａ）ポリスクシンイミドを水性媒体中で、かつ架橋ポリスクシンイミドを架橋ポリアスパルテートの高分子網目に加水分解するのに十分な量で存在する、アンモニア、第一アミン、第二アミンからなる群のメンバーである窒素塩基の存在下で、少なくとも２つの第一アミン基を有する有機塩基である架橋剤と反応させて、反応混合物中の架橋ポリスクシンイミド生成物を生成させる工程と、ｂ）生成した架橋ポリアスパルテートの高分子網目を反応混合物から単離する工程と、 ｃ）単離された架橋ポリアスパルテートの高分子網目を回収する工程と、を含む、架橋ポリアスパルテートの高分子網目の製造方法。
【請求項２】  前記工程（ａ）の反応混合物が約３０℃〜約８０℃の範囲の温度にあると共に、前記架橋ポリアスパルテートの高分子網目が形成するまで前記温度範囲で維持される、請求項１に記載の製造方法。
【請求項３】  前記架橋ポリアスパルテートの高分子網目が、濾過により工程（ｂ）で単離されると共に、前記架橋ポリアスパルテートの濾過された高分子網目を乾燥することにより工程（ｃ）において回収される、請求項１に記載の製造方法。
【請求項４】  前記架橋ポリアスパルテートの高分子網目が、水による洗浄により工程（ｂ）で単離されると共に、その後過剰の水を高分子網目から除去する、請求項１に記載の製造方法。
【請求項５】  前記架橋ポリアスパルテートの高分子網目が、水、アルコールおよびそれらの混合物からなる群のメンバーである液体による洗浄により工程（ｂ）で単離される、請求項１に記載の製造方法。
【請求項６】  前記ポリアスパルテートの高分子網目がゲル状または固形物状である、請求項１に記載の製造方法。
【請求項７】  前記工程（ａ）のポリスクシンイミドが約５００から約１００，０００より大きい範囲の重量平均分子量を有する、請求項１に記載の製造方法。
【請求項８】  スクシンイミド官能基に対する窒素アミン官能基が約１：１のモル比である、請求項１に記載の製造方法。
【請求項９】  前記有機架橋剤が鉱酸および有機酸からなる群から選択される酸の塩の形態である、請求項１に記載の製造方法。
【請求項１０】  前記架橋剤が脂肪族ジアミン、アリール脂肪族ジアミン、ポリエーテルジアミン、アミノ酸から誘導されるジアミン、ポリエーテルポリアミンおよびそれらの混合物からなる群から選択されるポリアミンである、請求項１に記載の製造方法。
【請求項１１】  前記窒素塩基がアンモニア、アミンあるいはアルカリ水溶液中で少なくとも約８のｐＫ値をもつイオン性アミノ基を有するアミノ酸およびそれらの混合物からなる群から選択される、請求項１に記載の製造方法。
【請求項１２】  前記単離工程（ｂ）中に所望のｐＨに生成物のｐＨを調節する工程をさらに含む、請求項１に記載の製造方法。
【請求項１３】  スクシンイミド単位約２０％未満を伴ってアスパルテート単位および二量体アスパルタミド単位から主としてなるランダムコポリマーである、請求項１に記載の製造方法によって得られるポリアスパルテートの超吸収性高分子網目。
【請求項１４】  スクシンイミド単位約２０％未満を伴ってアスパルテート単位およびアスパルタミド単位から主としてなるランダムコポリマーである、請求項１に記載の製造方法によって得られるポリアスパルテートの超吸収性高分子網目。
【請求項１５】  アスパルタミド単位が以下の構造式：
【化１】
2002501090.tif 000001
（式中、Ｒ１およびＲ２は独立に、Ｈ、Ｃ１〜Ｃ２０アルキルまたは置換アルキル、アリールまたは置換アリール、ＮＨ２、ＮＨＯＨ、Ｃ１〜Ｃ２０ヒドロキシアルキル、Ｃ１〜Ｃ２０チオアルキル、スルホノアルキルまたはホスホノアルキル、およびジアルキルアミノ置換Ｃ１〜Ｃ２０アルキルからなる群から選択される）
を有するα−アスパルタミド単位である、請求項１４に記載の製造方法によって得られるポリアスパルテートの超吸収性高分子網目。
【請求項１６】  アスパルタミド単位が以下の構造式：
【化２】
2002501090.tif 000002
（式中、Ｒ１およびＲ２は独立に、Ｈ、Ｃ１〜Ｃ２０アルキルまたは置換アルキル、アリールまたは置換アリール、ＮＨ２、ＮＨＯＨ、Ｃ１〜Ｃ２０ヒドロキシアルキル、Ｃ１〜Ｃ２０チオアルキル、スルホノアルキルまたはホスホノアルキル、およびジアルキルアミノ置換Ｃ１〜Ｃ２０アルキルからなる群から選択される）
を有するβ−アスパルタミド単位である、請求項１４に記載の製造方法によって得られるポリアスパルテートの超吸収性高分子網目。
【請求項１７】  乾燥自重の少なくとも約１０倍から少なくとも２００倍の範囲の量で水を吸収することが可能な架橋ポリアスパルテートのランダムコポリマーを含む、請求項１に記載の製造方法によって得られるポリアスパルテートの超吸収性高分子網目。
【請求項１８】  乾燥自重の少なくとも１０倍の最小量で電解質溶液を吸収することが可能な架橋ポリアスパルテートのランダムコポリマーを含む、請求項１に記載の製造方法によって得られるポリアスパルテートの超吸収性高分子網目。
【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  下腿潰瘍または褥瘡性潰瘍の治療のための医薬の製造のための、粉末および下記式Ｉ：
【化１】
2002501020.tif 000001
〔式中、
Ｒ1、Ｒ2およびＲ3は同じかまたは異なっていて、水素原子または炭素原子１〜４個のアルキルであり、そして、
Ｒ4は炭素原子６〜９個の飽和炭化水素基であるかまたは、下記式II：
【化２】
2002501020.tif 000002
｛式中、
ＸはＳまたはＯであり、
Ｙは水素原子またはハロゲン原子２個以下であり、
Ｚは単結合または２価の基Ｏ、Ｓ、−ＣＲ2−（ただしＲは水素または（Ｃ1〜Ｃ4）−アルキルである）または炭素原子２〜１０個の他の２価の基であるもの、そして、適切には鎖型に連結したＯおよび／またはＳ原子であり、ただしここで、基が２個以上のＯおよび／またはＳ原子を含む場合は、後者はＣ原子少なくとも２個で相互に隔てられており、そしてまた、隣接するＣ原子２個は二重結合により連結されていて良く、そしてＣ原子の遊離の結合価は水素原子および／または（Ｃ1〜Ｃ4）−アルキル基で飽和されており、
Ａｒは環２個までを有し、フッ素、塩素、臭素、メトキシ、（Ｃ1〜Ｃ4）−アルキル、トリフルオロメチルおよびトリフルオロメトキシからなる群より選択される基３個までに
より置換されていてよい芳香環系である｝の基である〕
の１−ヒドロキシ−２−ピリドン少なくとも１種の使用。
【請求項２】  Ａｒがビフェニル、ジフェニルアルカンまたはジフェニルエーテルから誘導された二環系である式Ｉの化合物を用いる請求項１記載の使用。
【請求項３】  式Ｉの化合物がＲ4の位置にシクロヘキシル基を有する請求項１または２記載の使用。
【請求項４】  式Ｉの化合物がＲ4の位置に式−ＣＨ2−ＣＨ(ＣＨ3)−ＣＨ2−Ｃ(ＣＨ3)3−のオクチル基を有する請求項１〜３のいずれかに記載の使用。
【請求項５】  １−ヒドロキシ−４−メチル−６−［４−（４−クロロフェノキシ）フェノキシメチル］−２−（１Ｈ）ピリドン、１−ヒドロキシ−４−メチル−６−シクロヘキシル−２−（１−Ｈ）−ピリドンまたは１−ヒドロキシ−４−メチル−６−（２,４,４−トリメチルペンチル）−２−（１Ｈ）−ピリドンを用いる請求項１記載の使用。
【請求項６】  変性コーンスターチ、ショ糖、乳糖またはこれらの混合物を粉末基剤として使用する請求項１〜５のいずれかに記載の使用。
【請求項７】  高分散シリカを更に用いる請求項１〜６のいずれかに記載の使用。
【請求項８】  式Ｉの１−ヒドロキシ−２−ピリドンを０.０５％〜５％の量で使用する請求項１〜７のいずれかに記載の使用。
【手続補正２】
【補正対象書類名】明細書
【補正対象項目名】００１４
【補正方法】変更
【補正の内容】
【００１４】
Ｒ4は炭素原子６〜９個の飽和炭化水素基であるかまたは、下記式II：
【化４】
2002501020.tif 000003
｛式中、
ＸはＳまたはＯであり、
Ｙは水素原子または塩素および／または臭素のようなハロゲン原子２個以下であり、
Ｚは単結合または２価の基Ｏ、Ｓ、−ＣＲ2−（ただしＲは水素または（Ｃ1〜Ｃ4）−アルキルである）または炭素原子２〜１０個の他の２価の基であるもの、そして、適切には鎖型に連結したＯおよび／またはＳ原子であり、ただしここで、基が２個以上のＯおよび／またはＳ原子を含む場合は、後者はＣ原子少なくとも２個で相互に隔てられており、そしてまた、隣接するＣ原子２個は２重結合により連結されていて良く、そしてＣ原子の遊離の結合価は水素原子および／または（Ｃ1〜Ｃ4）−アルキル基で飽和されており、
Ａｒは環２個までを有し、フッ素、塩素、臭素、メトキシ、（Ｃ1〜Ｃ4）−アルキル、トリフルオロメチルおよびトリフルオロメトキシから選択される基３個までにより置換されていてよい芳香環系である｝の基である〕
の１−ヒドロキシ−２−ピリドン少なくとも１種の使用に関する。
【手続補正３】
【補正対象書類名】明細書
【補正対象項目名】００１６
【補正方法】変更
【補正の内容】
【００１６】
式Ｉの化合物の炭化水素基Ｒ4は好ましくはＣ6〜Ｃ8−アルキルまたはシクロヘキシルであり、これはメチレン基またはエチレン基を介してピリドン環に連結するか、または、エンドメチル基を有していてよい。Ｒ4はまた、芳香族基であることもできるが、これは好ましくは脂肪族Ｃ原子少なくとも一つを介してピリドン残基に連結している。
【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  式（１）の化合物およびその薬学的に受容可能な付加化合物であって、
【化１】
2002501046.tif 000001
ここで、Ｒ1は置換アリールであり、そしてＲ2は水素またはアルキルである、化合物およびその薬学的に受容可能な付加化合物。
【請求項２】  請求項１に記載の化合物であって、ここで、Ｒ1が置換フェニルおよび置換ナフチルから選択される、化合物。
【請求項３】  請求項１または２に記載の化合物であって、ここで、Ｒ1が１、２または３個の置換基を有する、化合物。
【請求項４】  請求項１〜３のいずれか１項に記載の化合物であって、ここで、Ｒ1がハロ、トリフルオロメチルおよびｔｅｒｔ−ブチルから選択される１個以上の置換基で置換される、化合物。
【請求項５】  請求項４に記載の化合物であって、ここで、前記ハロ基がクロロおよびフルオロから選択される、化合物。
【請求項６】  請求項１、２、３、４または５に記載の化合物であって、ここで、Ｒ1がメタ置換フェニル基またはパラ置換フェニル基である、化合物。
【請求項７】  請求項１に記載の化合物であって、ここで、Ｒ1が４−クロロフェニル、４−フルオロフェニル、４−（トリフルオロメチル）フェニルおよび３−（トリフルオロメチル）フェニルから選択される、化合物。
【請求項８】  請求項１、２、３、４または５に記載の化合物であって、ここで、Ｒ1が２，３−二置換フェニル基、２，４−二置換フェニル基、３，４−二置換フェニル基および３，５−二置換フェニル基である、化合物。
【請求項９】  請求項８に記載の化合物であって、ここで、Ｒ1が同一または異なる２個のハロ基で、あるいは１個のハロ基および１個のトリフルオロメチル基で置換される、化合物。
【請求項１０】  請求項９に記載の化合物であって、ここで、Ｒ1がジクロロ−置換、ジフルオロ−置換、クロロ−フルオロ−置換またはフルオロ−トリフルオロメチル−置換される、化合物。
【請求項１１】  請求項１に記載の化合物であって、ここで、Ｒ1が３，４−ジクロロフェニル、３，４−ジフルオロフェニル、３−クロロ−４−フルオロフェニル、４−クロロ−３−フルオロフェニル、３−フルオロ−４−（トリフルオロメチル）フェニル、４−フルオロ−３−（トリフルオロメチル）フェニルおよび３−クロロ−５−フルオロフェニルから選択される、化合物。
【請求項１２】  請求項１〜１１のいずれか１項に記載の化合物であって、ここで、Ｒ2がアルキルである、化合物。
【請求項１３】  請求項１〜１２のいずれか１項に記載の化合物であって、ここで、Ｒ2がＣ1-8アルキルである、化合物。
【請求項１４】  請求項１〜１３のいずれか１項に記載の化合物であって、ここで、Ｒ2がアルケニル、アルキニル、ヒドロキシアルキルまたはアルコキシアルキルである、化合物。
【請求項１５】  請求項１〜１３のいずれか１項に記載の化合物であって、ここで、Ｒ2が非置換の飽和した環式または非環式ヒドロカルビルである、化合物。
【請求項１６】  請求項１〜１３のいずれか１項に記載の化合物であって、ここで、Ｒ2がプロピル、２−プロペニル、２−プロピニルまたは２−ヒドロキシプロピルである、化合物。
【請求項１７】  請求項１に記載の化合物であって、ここで、該化合物が３−（４−クロロフェニル）−Ｎ−（２−プロピニル）アゼチジン−１−カルボキサミド、（Ｓ）−３−（４−フルオロフェニル）−Ｎ−（２−ヒドロキシプロピル）アゼチジン−１−カルボキサミド、３−（４−フルオロフェニル）−Ｎ−（２−プロピニル）アゼチジン−１−カルボキサミド、（Ｒ）−３−（４−フルオロフェニル）−Ｎ−（２−ヒドロキシプロピル）アゼチジン−１−カルボキサミド、３−（４−クロロフェニル）−Ｎ−（２−プロペニル）アゼチジン−１−カルボキサミド、（Ｒ）−３−（４−クロロフェニル）−Ｎ−（２−ヒドロキシプロピル）アゼチジン−１−カルボキサミド、３−（４−フルオロフェニル）−Ｎ−（２−プロペニル）アゼチジン−１−カルボキサミド、３−（４−（トリフルオロメチル）フェニル）−Ｎ−（２−プロピニル）アゼチジン−１−カルボキサミド、（Ｒ）−３−（４−（トリフルオロメチル）フェニル）−Ｎ−（２−ヒドロキシプロピル）アゼチジン−１−カルボキサミド、（Ｓ）−３−（４−（トリフルオロメチル）フェニル）−Ｎ−（２−ヒドロキシプロピル）アゼチジン−１−カルボキサミド、３−（３−（トリフルオロメチル）フェニル）−Ｎ−（２−プロピニル）アゼチジン−１−カルボキサミドおよび３−（４−（トリフルオロメチル）フェニル）−Ｎ−アゼチジン−１−カルボキサミドから選択される、化合物。
【請求項１８】  治療に使用するための、請求項１〜１７のいずれか１項に記載の化合物。
【請求項１９】  ＣＮＳ障害の処置（予防を含む）のための薬剤の製造における、請求項１〜１７のいずれか１項に記載の化合物の、使用。
【請求項２０】  請求項１９に記載の使用であって、ここで、前記薬剤が不安、癲癇、不眠（旅行不眠および末期の疾病に関連した不眠を含む）、アルコール離脱症候群、慢性および急性の疼痛、神経変性疾患、物質乱用に起因する離脱に関する症状または痙性の処置（予防を含む）のためである、使用。
【請求項２１】  請求項１９に記載の使用であって、ここで、前記薬剤が不安または癲癇の処置（予防を含む）のためである、使用。
【請求項２２】  手術または外科的処置の前の筋弛緩のための、すなわち、手術前の前投薬としての、薬剤の製造における、請求項１〜１７のいずれか１項に記載の化合物の、使用。
【請求項２３】  薬学的に受容可能なキャリアまたは賦形剤と組み合わせた、請求項１〜１７のいずれか１項に記載の化合物を含む、薬学的組成物。
【請求項２４】  ＣＮＳ障害の処置（予防を含む）のための組成物であって、請求項１〜１７のいずれか１項に記載の化合物の有効用量を含む、組成物。
【請求項２５】  請求項２４に記載の組成物であって、ここで、該組成物が、不安、癲癇、不眠（旅行不眠および末期の疾病に関連した不眠を含む）、アルコール離脱症候群、慢性および急性の疼痛、神経変性疾患、物質乱用に起因する離脱に関する症状または痙性の処置のために処方される、組成物。
【請求項２６】  請求項２４に記載の組成物であって、ここで、該組成物が、不安または癲癇の処置のために処方される、組成物。
【請求項２７】  手術または外科的処置の前の筋弛緩のための組成物、すなわち、手術前の前投薬のための組成物であって、請求項１〜１７のいずれか１項に記載の化合物の有効用量を含む、組成物。
【手続補正書】
【提出日】平成18年1月6日(2006.1.6)
【手続補正１】
【補正対象書類名】明細書
【補正対象項目名】特許請求の範囲
【補正方法】変更
【補正の内容】
【特許請求の範囲】
【請求項１】  式（１）の化合物およびその薬学的に受容可能な付加化合物であって、
【化１】
2002501045.tif 000001
ここで、Ｒ１はアリールであり、Ｒ２はＨ、アルキルまたはアリールであり、そしてＲ３は水素またはアルキルである、化合物およびその薬学的に受容可能な付加化合物。
【請求項２】  請求項１に記載の化合物であって、ここで、Ｒ１がフェニルおよびナフチルから選択される置換または非置換のアリール基である、化合物。
【請求項３】  請求項１または２に記載の化合物であって、ここで、Ｒ１が１、２または３個の置換基を有する、化合物。
【請求項４】  請求項１、２または３に記載の化合物であって、ここで、Ｒ１がハロ、トリフルオロメチル、ｔｅｒｔ−ブチル、ＣＮ、およびフェニルから選択される１個以上の置換基で置換される、化合物。
【請求項５】  請求項４に記載の化合物であって、ここで、前記ハロ基がフルオロまたはクロロである、化合物。
【請求項６】  請求項１〜５のいずれか１項に記載の化合物であって、ここで、Ｒ１が１個の置換基を有し、かつメタ置換フェニル基またはパラ置換フェニル基である、化合物。
【請求項７】  請求項１に記載の化合物であって、ここで、Ｒ１が３−クロロフェニル、４−クロロフェニル、３−フルオロフェニル、４−フルオロフェニル、３−（トリフルオロメチル）フェニル、４−（トリフルオロメチル）フェニル、３，４−ジクロロフェニルまたは３，４−ジフルオロフェニルである、化合物。
【請求項８】  請求項１〜５のいずれか１項に記載の化合物であって、ここで、Ｒ１が２，４−二置換フェニル、２，５−二置換フェニル、３，４−二置換フェニルおよび３，５−二置換フェニルから選択される、化合物。
【請求項９】  請求項１、２、３、４、５または８のいずれか１項に記載の化合物であって、ここで、Ｒ１が同一または異なる２個のハロ基、あるいは２個のトリフルオロメチル基で置換される、化合物。
【請求項１０】  請求項９に記載の化合物であって、ここで、Ｒ１がジクロロ−置換またはジフルオロ−置換される、化合物。
【請求項１１】  請求項１〜１０のいずれか１項に記載の化合物であって、ここで、Ｒ２がＨである、化合物。
【請求項１２】  請求項１〜１０のいずれか１項に記載の化合物であって、ここで、Ｒ２がＣ１−４アルキルである、化合物。
【請求項１３】  請求項１〜１０のいずれか１項に記載の化合物であって、ここで、Ｒ２が一置換フェニルである、化合物。
【請求項１４】  請求項１〜１３のいずれか１項に記載の化合物であって、ここで、Ｒ３がアルキルである、化合物。
【請求項１５】  請求項１〜１４のいずれか１項に記載の化合物であって、ここで、Ｒ３がＣ１−４アルキルである、化合物。
【請求項１６】  請求項１〜１５のいずれか１項に記載の化合物であって、ここで、Ｒ３がアルケニル、アルキニル、ヒドロキシアルキルまたはアルコキシアルキルである、化合物。
【請求項１７】  請求項１〜１５のいずれか１項に記載の化合物であって、ここで、Ｒ３が非置換の飽和した環式または非環式ヒドロカルビルである、化合物。
【請求項１８】  請求項１〜１５のいずれか１項に記載の化合物であって、ここで、Ｒ３がプロピル、２−プロペニル、２−プロピニルおよび２−ヒドロキシプロピルから選択される、化合物。
【請求項１９】  請求項１〜１３のいずれか１項に記載の化合物であって、ここで、Ｒ３がＨである、化合物。
【請求項２０】  請求項１に記載の化合物であって、ここで、該化合物が３−（４−クロロベンジルオキシ）−Ｎ−（２−プロペニル）アゼチジン−１−カルボキサミド、３−（３，４−ジクロロベンジルオキシ）−Ｎ−（２−プロペニル）アゼチジン−１−カルボキサミド、３−（３−（トリフルオロメチル）ベンジルオキシ）−Ｎ−（２−プロペニル）アゼチジン−１−カルボキサミド、３−（４−（トリフルオロメチル）ベンジルオキシ）−Ｎ−（２−プロペニル）アゼチジン−１−カルボキサミド、３−（４−フルオロベンジルオキシ）−Ｎ−（２−プロペニル）アゼチジン−１−カルボキサミド、３−（ビス（４−クロロフェニル）メトキシ）−Ｎ−（２−プロペニル）アゼチジン−１−カルボキサミド、（Ｒ）−３−（ビス（４−クロロフェニル）メトキシ）−Ｎ−（２−ヒドロキシプロピル）アゼチジン−１−カルボキサミド、３−（１−（３−トリフルオロメチルフェニル）エチルオキシ）−アゼチジン−１−カルボキサミドおよび３−（３−（トリフルオロメチル）ベンジルオキシ）−アゼチジン−１−カルボキサミドから選択される、化合物。
【請求項２１】  治療に使用するための、請求項１〜２０のいずれか１項に記載の化合物。
【請求項２２】  ＣＮＳ障害の処置（予防を含む）のための医薬の製造における、請求項１〜２０のいずれか１項に記載の化合物の、使用。
【請求項２３】  請求項２２に記載の使用であって、ここで、前記医薬が不安、癲癇、不眠（旅行不眠および末期の疾病に関連した不眠を含む）、アルコール離脱症候群、慢性および急性の疼痛、神経変性疾患、物質乱用に起因する離脱に関する症状または痙性の処置（予防を含む）のためのものである、使用。
【請求項２４】  請求項２２に記載の使用であって、ここで、前記医薬が不安または癲癇の処置（予防を含む）のためのものである、使用。
【請求項２５】  手術または外科的処置の前の筋弛緩のための、すなわち、手術前の前投薬としての、医薬の製造における、請求項１〜２０のいずれか１項に記載の化合物の、使用。
【請求項２６】  薬学的に受容可能なキャリアまたは賦形剤と組み合わせた請求項１〜２０のいずれか１項に記載の化合物を含む、薬学的組成物。
【請求項２７】  ＣＮＳ障害の処置（予防を含む）のための組成物であって、請求項１〜２０のいずれか１項に記載の化合物の有効用量を含有する、組成物。
【請求項２８】  請求項２７に記載の組成物であって、ここで、該組成物が不安、癲癇、不眠（旅行不眠および末期の疾病に関連した不眠を含む）、アルコール離脱症候群、慢性および急性の疼痛、神経変性疾患、物質乱用に起因する離脱に関する症状または痙性の処置のためのものである、組成物。
【請求項２９】  請求項２７に記載の組成物であって、ここで、該組成物が不安または癲癇の処置のためのものである、組成物。
【請求項３０】  手術または外科的処置の前の筋弛緩のための組成物、すなわち、手術前の前投薬のための組成物であって、請求項１〜２０のいずれか１項に記載の化合物の有効用量を含有する、組成物。
【手続補正書】
【提出日】平成18年1月6日(2006.1.6)
【手続補正１】
【補正対象書類名】明細書
【補正対象項目名】特許請求の範囲
【補正方法】変更
【補正の内容】
【特許請求の範囲】
【請求項１】  以下の一般式(Ｉ)で示されるスルホンアミドならびにその立体異性体、立体異性体混合物および塩(ただし、Ｎ−[４−[[[５−(ジメチルアミノ)−１−ナフタレニル]スルホニル]アミノ]フェニル]アセトアミドを除く)：
【化１】
2002501043.tif 000001
[式中、Ｒ1およびＲ2は、同一または異なり、水素、ホルミル、所望により１ないし３個のハロゲン原子によって置換されていることもあるフェニルもしくはベンジル、または各々が６個までの炭素原子を有する直鎖または分岐鎖アルキルまたはアシルを表し、ここにアルキルまたはアシルは所望によりハロゲンおよびヒドロキシルから選択される１ないし３個の置換基によって置換されていることもあり、
Ａ、Ｄ、ＥおよびＧは、同一または異なり、水素、ハロゲン、ニトロ、シアノ、ヒドロキシル、カルボキシル、トリフルオロメチル、トリフルオロメトキシまたは各々が５個までの炭素原子を有する直鎖または分岐鎖アルキル、アルコキシまたはアルコキシカルボニルを表し、
Ｒ3は、６個までの炭素原子を有する直鎖または分岐鎖アルケニルを表すか、あるいは、
８個までの炭素原子を有する直鎖または分岐鎖アルキルを表し、これは、所望により４個までの炭素原子を有するアルキルによってまたはアミノ保護基によって置換されていることもあるアミノ基を担持していてもよく、あるいは、該アルキルは、所望によりヒドロキシル、シアノ、ハロゲン、アジド、ニトロ、トリフルオロメチル、カルボキシルまたはフェニル(その一部は、ニトロ、ハロゲン、ヒドロキシルによって、または４個までの炭素原子を有する直鎖または分岐鎖アルキルまたはアルコキシによって２回まで同一または異なって置換されていることもある)によって１ないし３回、同一または異なって置換されていることもあるか、あるいは、
Ｒ3は、以下の式：
【化２】
2002501043.tif 000002
で示される基を表し、
ここに、
Ｌは、６個までの炭素原子を有する直鎖または分岐鎖アルカンジイル基を表し、
Ｑは、所望によりカルボキシルによって置換されていることもある６個までの炭素原子を有するアルキルを表すか、あるいは、
以下の式：
【化３】
2002501043.tif 000003
で示される基を表し、
ここに、
ａは数１または２を示し、
Ｒ5は水素を示し、
Ｒ6は、３ないし８個の炭素原子を有するシクロアルキルまたは６ないし１０個の炭素原子を有するアリールまたは水素を示すか、あるいは、
８個までの炭素原子を有する直鎖または分岐鎖アルキルを示し、
ここに、
該アルキルは、所望によりシアノ、メチルチオ、ヒドロキシル、メルカプト、グアニジルによって、または、式：−ＮＲ9Ｒ10またはＲ11−ＯＣ−で示される基によって置換されていることもあり(ここに、Ｒ9およびＲ10は、相互に独立して、水素、８個までの炭素原子を有する直鎖または分岐鎖アルキルまたはフェニルを示し、Ｒ11は、ヒドロキシル、ベンジルオキシ、６個までの炭素原子を有するアルコキシまたは前記基：−ＮＲ9Ｒ10を示す)、あるいは、
該アルキルは、所望により３ないし８個の炭素原子を有するシクロアルキルによってまたは６ないし１０個の炭素原子を有するアリールによって置換されていることもあり、これはその一部がヒドロキシル、ハロゲン、ニトロ、８個までの炭素原子を有するアルコキシによってまたは基：−ＮＲ9Ｒ10によって置換されており(ここに、Ｒ9およびＲ10は前記した意味を有する)、あるいは、
該アルキルは、所望により５ないし６員の窒素含有複素環によってまたはインドリルによって置換されていることもあり(ここに、対応する−ＮＨ官能基は、所望により６個までの炭素原子を有するアルキルによって置換されているかまたはアミノ保護基によって保護されていることもある)、
Ｒ7およびＲ8は、同一または異なり、水素またはアミノ保護基を示し、
Ｒ4は、水素または以下の式：
【化４】
2002501043.tif 000004
で示される基を示し(ここに、Ｒ5'、Ｒ6'、Ｒ7'およびＲ8'は、前記したＲ5、Ｒ6、Ｒ7およびＲ8の意味を有し、これと同一または異なる)、
Ｘは、前記したＲ4の意味を有し、この意味と同一または異なり得る]。
【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  一酸化窒素（ＮＯ）ドナーおよびスーパーオキシドイオン（Ｏ2-）スカベンジャーを含有する化合物。
【請求項２】  以下の式の、請求項１に記載の化合物またはその塩であって：
【化１】
2002501049.tif 000001
ここで、Ｒ1は、同一であるかまたは異なり得、そして水素、アルコイル、アルコキシ、カルボキシ、ヒドロキシ、アミノ、アミド、シアノ、ニトロ、チオ、スルホニル、スルホキシド、アルキル基、およびＮＯ−ドナーを含有する基から独立して選択され、但し、少なくとも１つのＲ1はＮＯ−ドナーを含有する基であり；
Ｒ2は、同一であるかまたは異なり得、そしてアルキル基から独立して選択され；
ｎは、整数１，２または３である、化合物またはその塩。
【請求項３】  前記一酸化窒素が−ＯＮＯ2基である、請求項１に記載の化合物。
【請求項４】  前記スーパーオキシドイオンスカベンジャーがニトロキシド（Ｎ→Ｏ）基である、請求項１〜３のいずれか一項に記載の化合物。
【請求項５】  Ｒ2がメチル基である、請求項２〜４のいずれか一項に記載の化合物。
【請求項６】  ｎが２である、請求項２〜５のいずれか一項に記載の化合物。
【請求項７】  請求項２〜５のいずれか一項に記載の化合物であって、少なくとも１つのＲ1が式：
−Ｘ−Ｙ−ＯＮＯ2の基（ここで、Ｘは存在しないか、あるいはＯ、ＮＨまたはＳであり；そしてＹはＣ1-20アルキレン鎖である）である、化合物。
【請求項８】  以下の化合物から選択される化合物：
４−ニトラート−２，２，６，６−テトラメチルピペリジニルオキシ遊離ラジカル（ＴＥＭＰＯ−４−モノニトレート）、
３，４−ジニトラート−２，２，６，６−テトラメチルピペリジニルオキシ遊離ラジカル（ＴＥＭＰＯ−３，４−ジニトレート（ｄｉｍｉｔｒａｔｅ））、
３，４，５−トリニトラート−２，２，６，６−テトラメチルピペリジニルオキシ遊離ラジカル（ＴＥＭＰＯ−３，４，５−トリニトレート）
４−（２，３−ジニトラートープロプ−１−オキシ）−２，２，６，６−テトラメチル−ピペリジニルオキシ遊離ラジカル（４−（２，３−ジニトラート−プロプ−１−オキシ）ＴＥＭＰＯ）、
１，３−ジ（４−オキシ−ＴＥＭＰＯ）−２−ニトラート−プロパン、
１，４−ジ（４−オキシ−ＴＥＭＰＯ）−２，３−ジニトラート−ブタン、
４−ニトラート−３−カルボキシル−２，２，６，６−テトラメチルピペリジニルオキシ遊離ラジカル（ＰＲＯＸＹＬ−３−カルボキシル−４−ニトレート）、
４−ニトラート−３−カルバモイル−２，２，５，５−テトラメチル−３−ピロリジン−１−イルオキシ遊離ラジカル（ＰＲＯＸＹＬ−３−カルバモイル−４−ニトレート）。
【請求項９】  処置方法に使用するための請求項１〜８のいずれか一項に記載の化合物。
【請求項１０】  酸化的ストレスまたは内皮機能障害に関連した状態、好ましくは真性糖尿病または心臓血管疾患を処置するための医薬の製造に使用するための、請求項１〜８のいずれか一項に記載の化合物の使用。
【請求項１１】  酸化的ストレスまたは内皮機能障害と関連した疾患の処置するための組成物であって、請求項１〜８のいずれか一項に記載の化合物の有効量を含む、組成物。
【請求項１２】  薬学的に受容可能な賦形剤と組み合わせた請求項１〜８のいずれか一項に記載の化合物を含有する、薬学的組成物。
【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】  プローブカードのプローブ機構から堆積物を取り除くための方法であって、
プローブ機構から堆積物を取り除くために、前記プローブ機構の少くとも一部分を前記堆積物と化学的に反応する混合物に曝す段階を含み、
上記混合物はプローブ機構とは反応しないことを特徴とする方法。
【請求項２】  プローブ機構から堆積物を取り除くために、前記プローブ機構と反応しないが、前記堆積物と化学的に反応する混合物へ前記プローブ機構を曝す段階を含み、
前記混合物へ前記プローブ機構を曝す段階は、前記プローブ機構の少なくとも一部分に前記混合物を散布する段階を含むことを特徴とするプローブカードのプローブ機構から堆積物を取り除くための方法。。
【請求項３】  ａ）集積回路素子のコンタクトパッドへプローブカードのプローブ機構を係合する段階と、
ｂ）前記集積回路素子の前記コンタクトパッドから前記プローブ機構を切り離す段階と、
ｃ）前記プローブ機構から前記堆積物を実質的に取り除くため、前記プローブ機構を含む材料とは実質的に反応しないが、前記プローブ機構上の堆積物とは化学的に反応する混合物へ、前記プローブ機構を曝す段階と、から成ることを特徴とする集積回路素子をプローブカードにより試験するための方法。
【請求項４】  ａ）集積回路素子のコンタクトパッドへプローブカードのプローブ機構を係合する段階と、
ｂ）前記集積回路素子の前記コンタクトパッドから前記プローブ機構を切り離す段階と、
ｃ）前記プローブ機構から前記堆積物を実質的に取り除くため、前記プローブ機構を含む材料とは実質的に反応しないが、前記プローブ機構上の堆積物とは化学的に反応する混合物へ、前記プローブ機構を曝す段階と、から成り、
前記混合物へ前記プローブ機構を曝す段階は、前記プローブ機構の少なくとも一部分に前記混合物を散布する段階であることを特徴とする集積回路素子をプローブカードにより試験するための方法。
【請求項５】  ａ）集積回路素子のコンタクトパッドへプローブカードのプローブ機構を係合する段階と、
ｂ）前記集積回路素子の前記コンタクトパッドから前記プローブ機構を切り離す段階と、
ｃ）前記プローブ機構上に形成された堆積物を取り除くために、研磨面上で前記プローブ機構をスクラブする段階と、
ｄ）前記プローブ機構から残留している前記堆積物を実質的に取り除くため、プローブを構成している材料とは実質的に反応しないが、前記プローブ機構上に残留している堆積物とは化学的に反応する混合物へ、前記プローブ機構を曝す段階と、から成ることを特徴とする集積回路素子をプローブカードにより試験するための方法。
【請求項６】  ａ）鉛、鉛酸化物、又は鉛合金を含む、集積回路素子のコンタクトパッドへプローブカードのプローブ機構を係合する段階と、
ｂ）前記集積回路素子の前記コンタクトパッドから前記プローブ機構を切り離す段階と、
ｃ）前記プローブ機構上に形成された堆積物を取り除くために、研磨面上で前記プローブ機構をスクラブする段階と、
ｄ）前記プローブ機構から残留している前記堆積物を実質的に取り除くため、前記プローブ機構を含む材料とは実質的に反応しないが、前記プローブ機構上の堆積物とは化学的に反応する混合物へ、前記プローブ機構を曝す段階と、から成り、
前記混合物へ前記プローブ機構を曝す段階は、前記プローブ機構の少なくとも一部分へ前記混合物を噴霧する段階を含むことを特徴とする集積回路素子をプローブカードにより試験するための方法。。
【請求項７】  ａ）複数の集積回路素子の、鉛、鉛酸化物、及び鉛合金の内の少なくとも１つを含むコンタクトパッドへ、ニッケル合金を含むプローブカードのマイクロスプリングプローブ機構を反復的に係合し且つ切り離す段階と、
ｂ）前記プローブ機構上に形成された鉛堆積物、鉛酸化物堆積物、又は鉛合金堆積物の内の少なくとも１つの一部分を実質的に取り除き、プローブ機構を間歇的に研磨面上でスクラブする段階と、
ｃ）前記プローブ機構から前記堆積物を実質的に取り除くため、酢酸と過酸化水素と非イオン水とを１：１：１の容積割合で含み前記プローブ機構上の鉛堆積物、鉛酸化物堆積物、又は鉛合金堆積物の内の少なくとも１つと化学的に反応する混合物を前記プローブ機構へ間歇的に噴霧する段階と、から成ることを特徴とする集積回路素子をプローブカードにより試験するための方法。
【請求項８】  酢酸と過酸化水素とを含み、プローブカードのプローブ機構をクリーニングする混合物であって、
上記混合物は鉛、鉛酸化物、及び鉛合金の内の少なくとも１つをプローブカードのプローブ機構から除去すると共に、過酸化水素と酢酸とが約１：１の容積割合で含むことを特徴とする混合物。
【請求項９】  プローブカードのプローブ機構から鉛、鉛合金または鉛酸化物を除去する方法であって、この方法は酢酸と過酸化水素とを含む洗浄溶液へプローブ機構を曝す段階を含み、
前記プローブ機構を前記混合物へ曝す段階は、前記プローブ機構の少なくとも一部に前記混合物を散布するステップを含むことを特徴とする鉛堆積物をプローブカードのプローブ機構から取り除くための方法。
【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】  （ａ）５０〜９０重量％のｎ−ブチルアクリレート、（ｂ）１０〜５０重量％の２−ヒドロキシエチルアクリレート、または２−ヒドロキシエチルメタクリレート、またはヒドロキシプロピルアクリレートモノマー、またはこれらの混合物を含む耐水性エマルジョン感圧接着剤において、
湿式貼合わせ作業の後に、２％未満の濁り度増大と、２％未満の乳白度増大と、３８０〜７２０ｎｍの範囲の可視スペクトルにおいておよそ９５％を超える透過率とを示す耐水性エマルジョン感圧接着剤。
【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】  テープラミネートであって、
対向主表面、第１および第２部分、および前記部分のそれぞれの前記主表面の一方のアンカー部分を有する支持層であって、前記支持層の第１および第２部分が前記支持層の対向側の前記アンカー部分と共に略平行に配置される、支持層と、
前記テープラミネートが前記アンカー部分と略平行な静的力に抗して一方のオブジェクトを他方から支持できるように前記アンカー部分を堅いオブジェクトの対向する表面に接合する手段であって、接合するための前記手段が対向端部と、前記端部間で延在する内部および外部対向主表面を有する第１取付ストリップを具備し、前記第１取付ストリップが前記外部主表面の少なくとも一部を画定する接着剤の第１層を具備し、前記第１取付ストリップの前記内部主表面が前記第１部分の前記アンカー層に接合されている、接合するための手段と、
タブ部分を含む手段であって、接着剤の前記第１層の前記外部主表面が接着されるオブジェクトから接着剤の前記第１層の接着係合を解放するために前記タブ部分を引っ張ることで前記第１取付ストリップを伸長させる、手段と、
前記支持層の前記第１および第２部分を分離させる分離手段であって、それによって前記タブ部分へのアクセスと、前記取付ストリップを伸長させることで前記堅いオブジェクトの一方から接着剤の前記第１層の接着係合の解放とができるようにするためにそれらの間に前記タブ部分を備えた接合するための前記手段によって前記アンカー部分が接合される堅いオブジェクトの十分な分離を可能にする、分離手段とを具備する、テープラミネート。
【請求項２】  垂直表面に着脱自在に接着されるようにしたオブジェクトであって、
対向主表面、第１および第２部分、および前記第２部分上の前記主表面の一方のアンカー部分を有する支持層であって、前記第１部分が前記オブジェクトに取り付けられるまたは組み込まれており、前記支持層の前記第２部分が前記第１部分上の前記主表面の部分と略平行な前記アンカー部分と共に配置されている、支持層と、
対向端部、前記端部間で延在する内部および外部対向主表面、前記外部主表面の一部が感圧接着剤によって画定されており、前記内部主表面が前記アンカー部分に接合されており、一端に手で係合可能なタブ部分を有する取付ストリップであって、前記取付ストリップが、前記取付ストリップの前記外部主表面が接着されるオブジェクトから前記取付ストリップの前記外部主表面の接着係合を解放するために前記タブ部分が引っ張られることで伸長可能である、取付ストリップと、
前記支持層の前記第１および第２部分を分離させる分離手段であって、タブ部分にアクセスできるようにそれらの間に前記タブ部分を備えた前記取付ストリップによって前記オブジェクトが接合される表面から前記オブジェクトの十分な分離ができ、それによって前記取付ストリップを伸長させることでその表面から前記取付ストリップを分離できる、分離手段と、を含むオブジェクト。
【請求項３】  裏面を有するオブジェクトとテープラミネートとの組合せであって、該テープラミネートが、
対向主表面、第１および第２部分、および前記部分のそれぞれの前記主表面の一方のアンカー部分を有する支持層であって、前記支持層の第１および第２部分が前記支持層の対向側の前記アンカー部分と共に略平行に配置される、支持層と、
前記オブジェクトの裏面に前記第１部分上のアンカー部分を接合する手段と、
対向端部、前記端部間で延在する内部および外部対向主表面、前記外部主表面の一部が感圧接着剤によって画定されており、前記内部主表面が前記第２部分上のアンカー部分に接合されており、一端に手で係合可能なタブ部分を有する第１取付ストリップであって、前記第１取付ストリップは、第１取付ストリップの前記外部主表面が接着される表面から前記第１取付ストリップの前記外部主表面の接着係合を解放するために前記タブ部分が引っ張られることで伸長可能となる、第１取付ストリップと、
前記支持層の前記第１および第２部分を分離させる分離手段であって、タブ部分にアクセスできるようにそれらの間に前記タブ部分を備えた前記取付ストリップによって前記オブジェクトおよびテープラミネートが接合される表面から前記オブジェクトの十分な分離ができ、それによって前記第１取付ストリップを伸長させることで前記表面から前記第１取付ストリップを分離できる分離手段と、を具備する組合せ。